(57)【要約】【課題】手袋を取り出しやすく、しかも、衛生的に取り出すことができて食品を取り扱う用途等のように衛生管理が必要になる用途に適した手袋包装体を提供する。【解決手段】包装箱１に複数枚の手袋２が積層状態で収容された手袋包装体であって、包装箱１は、長方形状の上面１０及び底面と、上面１０の短辺１０ａ，１０ｂを上端とする一対の短辺側の側面１４と、上面１０の長辺１０ｃを上端とする一対の長辺側の側面１３とを有する直方体形状であり、複数枚の手袋２は、手挿入口３が包装箱１の上面１０の一方の短辺１０ａ側を向き、指先４が包装箱１の上面１０の他方の短辺１０ｂ側を向くように、向きを揃えて収容されており、包装箱１の上面１０の前記一方の短辺１０ａ近傍に手袋２の取り出し口２０が設けられている。【選択図】図１
0003202591.tif 000002
【実用新案登録請求の範囲】
【請求項１】
包装箱に複数枚の手袋が積層状態で収容された手袋包装体であって、
包装箱は、長方形状の上面及び底面と、上面の短辺を上端とする一対の短辺側の側面と、上面の長辺を上端とする一対の長辺側の側面とを有する直方体形状であり、
複数枚の手袋は、手挿入口が包装箱の上面の一方の短辺側を向き、指先が包装箱の上面の他方の短辺側を向くように、向きを揃えて収容されており、
包装箱の上面の前記一方の短辺近傍に手袋の取り出し口が設けられていることを特徴とする手袋包装体。
【請求項２】
取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成されている請求項１記載の手袋包装体。
【請求項３】
上部取り出し口部の長辺方向の寸法は、側部取り出し口部の上下方向の寸法に比して長く且つ上面の長辺の１／３以下である請求項２記載の手袋包装体。
【請求項４】
上部取り出し口部は、前記一方の短辺から離れる程幅広となる逆テーパ形状である請求項３記載の手袋包装体。
【請求項５】
取り出し口には、ミシン目を介して周囲の部分から切離可能に構成された切離片が設けられ、該切離片を全部切り離す又はその一部を残して切り離すことにより、取り出し口が開口する構成である請求項１記載の手袋包装体。
【請求項６】
取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成され、
上部取り出し口部の端部近傍に開封開始部が設けられている請求項５記載の手袋包装体。
【請求項７】
包装箱は、一対の短辺側の側面が開口部となるように展開形状の厚紙から箱状に形成されたものであり、
一対の短辺側の側面は、長辺側の側面から延設されて互いに係止連結された左右一対のサイドフラップと、該サイドフラップの外側に位置し、底面から延設された下フラップと、該下フラップの外側に位置し、上面から延設された上フラップとからなる三重構造となっている請求項１記載の手袋包装体。
【請求項８】
取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成され、
取り出し口には、ミシン目を介して周囲の部分から切離可能に構成された切離片が設けられ、該切離片を切り離すことにより取り出し口が開口する構成であり、
切離片は、上面から上フラップにかけて形成され、
側部取り出し口部は、切離片のうち上フラップに切離可能に形成された部分である側面切離片部と、下フラップの上端に形成された外側切欠部と、互いに係止連結された左右一対のサイドフラップの上端に形成された内側切欠部とから構成されている請求項７記載の手袋包装体。
【考案の詳細な説明】
【技術分野】
【０００１】
本考案は、複数枚の手袋が包装箱に収容された手袋包装体に関する。
【背景技術】
【０００２】
薄手のプラスチックフィルム製やゴム製の手袋が包装箱に多数枚収容された包装体がある。その手袋包装体においては、下記特許文献１，２のように包装箱の上面中央部に長孔形状の取り出し口が形成されている。そして、使用に際しては、その取り出し口から手袋を一枚ずつ引っ張り出すように取り出す。
【０００３】
しかしながら、取り出し口が上面中央部に形成されているので、手袋の例えば手の平の部分を摘んで包装箱から引っ張り出す必要があり、取り出しにくいという問題がある。また、取り出す際に手袋の親指等の指の部分に触れる可能性が高く、衛生的ではない。
【先行技術文献】
【特許文献】
【０００４】
【特許文献１】実用新案登録第３０３８４４３号公報
【特許文献２】特開２０１１−１６２２５７号公報
【考案の概要】
【考案が解決しようとする課題】
【０００５】
それゆえに本考案は上記従来の問題点に鑑みてなされ、手袋を取り出しやすく、しかも、衛生的に取り出すことができて食品を取り扱う用途等のように衛生管理が必要になる用途に適した手袋包装体を提供することを課題とする。
【課題を解決するための手段】
【０００６】
本考案は、上記課題を解決すべくなされたものであって、本考案に係る手袋包装体は、包装箱に複数枚の手袋が積層状態で収容された手袋包装体であって、包装箱は、長方形状の上面及び底面と、上面の短辺を上端とする一対の短辺側の側面と、上面の長辺を上端とする一対の長辺側の側面とを有する直方体形状であり、複数枚の手袋は、手挿入口が包装箱の上面の一方の短辺側を向き、指先が包装箱の上面の他方の短辺側を向くように、向きを揃えて収容されており、包装箱の上面の前記一方の短辺近傍に手袋の取り出し口が設けられていることを特徴とする。
【０００７】
該構成の手袋包装体にあっては、包装箱の上面の一方の短辺の近傍に手袋を取り出すための取り出し口が設けられており、その取り出し口の内側には手袋の手挿入口側が位置している。従って、包装箱の取り出し口から手袋を取り出すに際に、手袋の指の部分に触れることなく、手袋の手挿入口側の部分を摘んで取り出すことができる。しかも、手袋を手挿入口側に向けて引き出すことができるので、手袋が包装箱の内部で引っかかりにくい。仮に手袋を指先側に向けて引っ張ると手袋の指の部分が折れ曲がる等して引き出す際の抵抗が大きく、手袋を引っ張り出しにくい。それに対して手袋を手挿入口側に向けて引っ張ると、抵抗が小さく、スムーズに引き出すことができる。
【０００８】
特に、取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成されていることが好ましい。該構成では、側部取り出し口部から手袋の手挿入口が側方に部分的に露出するので、その露出した手挿入口の部分を摘んで、積層された手袋を容易に取り出すことができる。
【０００９】
また更に、上部取り出し口部の長辺方向の寸法は、側部取り出し口部の上下方向の寸法に比して長く且つ上面の長辺の１／３以下であることが好ましく、上方への取り出し性に優れることになって、手袋を容易に取り出すことができる。
【００１０】
また更に、上部取り出し口部は、前記一方の短辺から離れる程幅広となる逆テーパ形状であることが好ましく、手袋をより一層容易に取り出すことができる。
【００１１】
また、取り出し口には、ミシン目を介して周囲の部分から切離可能に構成された切離片が設けられ、該切離片を全部切り離す又はその一部を残して切り離すことにより、取り出し口が開口する構成であることが好ましい。該構成の場合には、切離片をミシン目に沿って切り離すことで取り出し口を容易に開口させることができる。即ち、切離片を切り離すことで包装箱を開封できる。このようにミシン目が設けられている場合には、手袋を手挿入口側から取り出すことのメリットが大きい。即ち、手袋を指先側から引き出すと抵抗が大きいため、取り出し口の開口縁部に存在するミシン目に手袋の指の部分が引っかかりやすく、手袋にキズが入ったり破れたりするおそれがあるが、手袋を手挿入口側から引き出すと抵抗が小さくスムーズに取り出すことができ、ミシン目にも引っかかりにくく、手袋の破損を防止できる。
【００１２】
特に、取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成されている場合においては、上部取り出し口部の端部近傍に開封開始部が設けられていることが好ましい。該構成では、包装箱の上面に開封開始部が設けられているので、切離片を上面側から側面に向けて容易に切離して開封できる。
【００１３】
また、包装箱は、一対の短辺側の側面が開口部となるように展開形状の厚紙から箱状に形成されたものであり、一対の短辺側の側面は、長辺側の側面から延設されて互いに係止連結された左右一対のサイドフラップと、該サイドフラップの外側に位置し、底面から延設された下フラップと、該下フラップの外側に位置し、上面から延設された上フラップとからなる三重構造となっていることが好ましい。包装箱が、一対の短辺側の側面が開口部となるように展開形状の厚紙から箱状に形成されたものである場合、展開形状の厚紙を一箇所の糊代片で角筒状に形成でき、組み立て作業が容易である。そして、一対の開口部となる短辺側の側面については三重構造とすることにより大きな強度が確保され、例えば５０枚や１００枚といった多数枚の手袋を収容してもその重量に耐え得る強度を確保できる。
【００１４】
更に、取り出し口は、包装箱の上面の前記一方の短辺を上下に跨ぐように、上面から短辺側の側面にかけて形成されていて、上面に形成された部分である上部取り出し口部と、側面に形成された部分である側部取り出し口部とから構成され、取り出し口には、ミシン目を介して周囲の部分から切離可能に構成された切離片が設けられ、該切離片を切り離すことにより取り出し口が開口する構成であり、切離片は、上面から上フラップにかけて形成され、側部取り出し口部は、切離片のうち上フラップに切離可能に形成された部分である側面切離片部と、下フラップの上端に形成された外側切欠部と、互いに係止連結された左右一対のサイドフラップの上端に形成された内側切欠部とから構成されていることが好ましい。上述のように三重構造となっているが、上フラップの内側に位置している下フラップと左右一対のサイドフラップには予め外側切欠部や内側切欠部が側部取り出し口部に対応した位置に形成されているので、上フラップの側面切離片部を切離するだけで側部取り出し口部を開口させることができ、短辺側の側面の強度を確保しつつ、良好な開封性も得られる。
【考案の効果】
【００１５】
以上のように本考案に係る手袋包装体にあっては、収容された手袋を手挿入口側から取り出すことができるので、取り出し性に優れており、しかも、手袋の指の部分に触れることなく手袋を取り出すことができるので、衛生的であって、特に食品を取り扱う用途に適している。
【図面の簡単な説明】
【００１６】
【図１】本考案の一実施形態における手袋包装体を示す斜視図。
【図２】同手袋包装体を示す平面図。
【図３】同手袋包装体を一方の短辺側の側面から見た正面図。
【図４】同手袋包装体の包装箱の展開図。
【図５】同手袋包装体の包装箱の組み立て工程を示す、他方の短辺側の側面から見た背面図。
【図６】同手袋包装体の包装箱の組み立て工程を示す、他方の短辺側の側面から見た背面図。
【図７】同手袋包装体の包装箱の組み立て工程を示す、他方の短辺側の側面から見た背面図。
【図８】同手袋包装体の包装箱の組み立て工程を示す、一方の短辺側の側面から見た背面図。
【図９】同手袋包装体の包装箱の組み立て工程を示す、一方の短辺側の側面から見た背面図。
【図１０】同手袋包装体の包装箱の組み立て工程を示す、一方の短辺側の側面から見た背面図。
【図１１】（ａ）及び（ｂ）は同手袋包装体の開封手順を示す要部斜視図。
【図１２】（ａ）及び（ｂ）は同手袋包装体の開封手順を示す要部斜視図。
【図１３】同手袋包装体の取り出し口を開口した状態を斜視図。
【図１４】同手袋包装体から手袋を取り出している途中の状態を示す斜視図。
【考案を実施するための形態】
【００１７】
以下、本考案の一実施形態に係る手袋包装体について図１〜図１４を参酌しつつ説明する。図１〜図３に開封前の手袋包装体を示している。該手袋包装体は、直方体形状の包装箱１と、該包装箱１に収容された多数枚の手袋２とを備えている。
【００１８】
＜包装箱１＞
包装箱１は上面１０が長方形状の直方体形状であり、上面１０と、底面と、四つの側面１２，１３，１４，１５とから構成される。包装箱１の上面１０は長方形状であるため、一対の長辺１０ｃと一対の短辺１０ａ，１０ｂを有しており、包装箱１の底面も同様である。上面１０の一対の長辺１０ｃと底面の一対の長辺との間に一対の長辺側の側面１２，１３が位置し、上面１０の一対の短辺１０ａ，１０ｂと底面の一対の短辺との間に一対の短辺側の側面１４，１５が位置している。従って、長辺側の側面１２，１３の上端及び下端はそれぞれ上面１０の長辺１０ｃ及び底面の長辺となり、短辺側の側面１４，１５の上端及び下端はそれぞれ上面１０の短辺１０ａ，１０ｂ及び底面の短辺となる。上面１０の長辺１０ｃに沿った方向を長辺方向と、上面１０の短辺１０ａ，１０ｂに沿った方向を短辺方向と称する。尚、本実施形態の包装箱１は、その高さが、包装箱１の長辺方向の長さよりも小さく、包装箱１の短辺方向の長さよりも短いものであるが、包装箱１の短辺方向の長さと同じかそれよりも大きくてもよい。
【００１９】
＜取り出し口＞
包装箱１の上面１０の一方の短辺１０ａの近傍に、手袋２を包装箱１から取り出すための取り出し口２０が設けられている。上面１０の一方の短辺１０ａは上面１０と短辺側の側面１４との間の境界であるが、取り出し口２０は上面１０の一方の短辺１０ａを上下方向に跨ぐようにして、上面１０から短辺側の側面１４にかけて形成されている。従って、取り出し口２０は、上面１０に形成された部分である上部取り出し口部２１と、短辺側の側面１４に形成された部分である側部取り出し口部２２とからなる。上部取り出し口部２１は、図２のように、一方の短辺１０ａから長辺方向に離れる程幅広となる逆テーパ形状であって、一方の短辺１０ａを下底としそれとは反対側の内端２１ａを上底とする台形状である。側部取り出し口部２２は、図３のように、短辺方向に長い横長の長方形状である。そして、上部取り出し口部２１の長辺方向の寸法は、側部取り出し口部２２の上下方向の寸法（高さ）に比して長い。但し、上部取り出し口部２１の長辺方向の寸法は、上面１０の長辺の１／３以下とされる。側部取り出し口部２２の下端は包装箱１の上下方向中央よりも若干低い位置にある。上部取り出し口部２１の面積は側部取り出し口部２２の面積よりも大きい。
【００２０】
取り出し口２０には、ミシン目２３を介して周囲の部分から切離可能に構成された切離片２４が設けられている。ミシン目２３は切離片２４の全周に亘って形成されており、従って、切離片２４の全部を周囲の部分から切離でき、切離片２４を切離することで、取り出し口２０の全体が開口する。上部取り出し口部２１の内端２１ａ近傍には開封開始部が設けられている。具体的には、上部取り出し口部２１の内端２１ａの中央部に隣接して、開封開始部としての開封用切り込み線２７が左右一対形成されている。該開封用切り込み線２７はミシン目２３の外側即ち切離片２４の外側に形成されており、上部取り出し口部２１の内端２１ａ近傍の位置を基点として反対側の短辺側の側面１５に向けて若干傾斜しつつ延びている。左右一対の開封用切り込み線２７は互いに平行ではなく、上部取り出し口部２１から離れるにつれて、即ち、反対側の短辺側の側面１５に向けて、徐々に互いに接近したハの字状となっている。この左右一対の開封用切り込み線２７の間の台形状の部分が開封開始片２８となる。
【００２１】
＜展開形状＞
包装箱１は、所定形状に裁断された厚紙から箱状に組み立てられたものである。図４に包装箱１の展開図を示しているが、この展開形状の厚紙を組み立てるのであるが、その際、一対の短辺側の側面１４，１５がそれぞれ開口部となるように角筒状に形成される。詳細には、展開形状の厚紙は、包装箱１の上面１０となる上面片３０と、包装箱１の底面となる底面片３１と、包装箱１の一対の長辺側の側面１２，１３となる一対の側面片３２，３３とが短辺方向に沿って連設されている。側面片３３の隣には糊代片３６が延設されている。
【００２２】
上面片３０の長辺方向の両側にはそれぞれ第一及び第二の上フラップ４０，４１が延設され、底面片３１の長辺方向の両側にはそれぞれ第一及び第二の下フラップ４３，４４が延設され、一対の側面片３２，３３の長辺方向の両側にはそれぞれ一対の第一のサイドフラップ４５，４６と一対の第二のサイドフラップ４７，４８が延設されている。第一及び第二の上フラップ４０，４１の先端中央部にはそれぞれ先細り形状の差し込み片５０，５１が延設されている。底面片３１と第一及び第二の下フラップ４３，４４との境界線には、それぞれ第一及び第二の上フラップ４０，４１の差し込み片５０，５１が差し込まれる差し込み用切り込み線５２，５３が形成されている。また、上面片３０から第一の上フラップ４０にかけてミシン目２３が形成されている。ミシン目２３は無端状に周回していて、該ミシン目２３によってその内側に取り出し口２０となる切離片２４が区画形成されている。上面片３０に形成されたミシン目２３の隣には開封開始部となる開封用切り込み線２７が左右一対形成されている。
【００２３】
第一の下フラップ４３はその先端中央部に矩形の外側切欠部６０が形成されていて、第一の下フラップ４３の先端左右両端部にはそれぞれ差し込み片６１が延設されている。第二の下フラップ４４の先端には該第二の下フラップ４４と略同幅の差し込み片６２が延設されている。第一の上フラップ４０の左右両側に位置する一対の第一のサイドフラップ４５，４６は互いに係止する構成であって、その先端一端側が矩形に切り欠かれた全体としてＬ字状のものであり、その先端近傍には互いに係止可能な係止用切欠部７０がそれぞれ形成されている。第二の上フラップ４１の左右両側に位置する一対の第二のサイドフラップ４７，４８も同様に互いに係止する構成であって、その先端近傍には互いに係止可能な係止用切欠部７１が形成されている。
【００２４】
＜包装箱１の組み立て＞
かかる展開形状の厚紙を箱状に組み立てていくのであるが、まずは糊代片３６を糊代部として底面片３１の内面側に貼着して、上面片３０と底面片３１と一対の側面片３２，３３とから両端が開口した角筒状に組み立てる。図８に角筒状に形成した包装箱１を一方の開口部側から見た図を示しており、図５には他方の開口部側から見た図を示している。
【００２５】
まず、他方の開口部側から説明すると、図５のように開口した状態において、第二の上フラップ４１と第二の下フラップ４４は上下に対向した関係にあり、左右一対の第二のサイドフラップ４７，４８は左右に対向した関係にある。左右一対の第二のサイドフラップ４７，４８の係止用切欠部７１は一方が上側を向いていて他方が下側を向いている。図６のように、開いている左右一対の第二のサイドフラップ４７，４８を互いに接近するように閉じ側（内側）に上下方向の軸線まわりに回動させて、係止用切欠部７１同士を上下に係止して左右一対の第二のサイドフラップ４７，４８同士を連結する。このように左右一対の第二のサイドフラップ４７，４８同士を係止連結することにより、他方の開口部の略全体が覆われるが、左右一対の第二のサイドフラップ４７，４８の上下にはそれぞれ隙間Ｓが残っている。次に、第二の下フラップ４４を上側に回動させてその差し込み片６２を上側の隙間Ｓに差し込んで、図７のように左右一対の第二のサイドフラップ４７，４８の外側を第二の下フラップ４４で覆うようにする。そして最後に、第二の上フラップ４１を下側に回動させてその差し込み片５１を差し込み用切り込み線５３に差し込んで、第二の下フラップ４４の外側を第二の上フラップ４１で更に覆うようにする。このように他方の開口部は左右一対の第二のサイドフラップ４７，４８と第二の下フラップ４４と第二の上フラップ４１によって三重に閉じられることになり、この短辺側の側面１５は三重構造（三層構造）となる。
【００２６】
一方の開口部も同様であり、図８のように開口した状態では、第一の上フラップ４０と第一の下フラップ４３は上下に対向した関係にあり、左右一対の第一のサイドフラップ４５，４６は左右に対向した関係にある。左右一対の第一のサイドフラップ４５，４６の係止用切欠部７０は一方が上側を向いていて他方が下側を向いている。図９のように、開いている左右一対の第一のサイドフラップ４５，４６を互いに接近するように閉じ側に回動させて、係止用切欠部７０同士を上下に係止するようにして左右一対の第一のサイドフラップ４５，４６同士を連結する。このように左右一対の第一のサイドフラップ４５，４６同士を係止連結することにより、一方の開口部が部分的に覆われる。左右一対の第一のサイドフラップ４５，４６同士を連結すると、それぞれの切欠部が一体となって一つの内側切欠部７２が形成される。該内側切欠部７２は、上側に開口していて、左右方向の中央部に位置している。従って、左右一対の第一のサイドフラップ４５，４６によって一方の開口部は、その下側の部分と左右両側の部分が覆われる一方、左右方向中央部であって上側の部分については覆われずに内側切欠部７２として開口状態で残る。
【００２７】
次に、図１０のように、第一の下フラップ４３を上側に回動させて左右一対の差し込み片６１を左右一対の第一のサイドフラップ４５，４６の上側の隙間Ｓにそれぞれ差し込んで、左右一対の第一のサイドフラップ４５，４６の外側を第一の下フラップ４３で覆うようにする。図１０のように第一の下フラップ４３を閉じた状態において、第一の下フラップ４３の外側切欠部６０は内側切欠部７２に対して左右方向の寸法が略同じであって上下方向の寸法は小さく、従って、外側切欠部６０は内側切欠部７２よりも面積が小さい。そのため、第一の下フラップ４３は左右一対の第一のサイドフラップ４５，４６の全体を覆うことができ、内側切欠部７２は表出せず外側切欠部６０のみが表出した状態となる。そして最後に、第一の上フラップ４０を下側に回動させてその差し込み片５０を差し込み用切り込み線５２に差し込んで、図３のように第一の下フラップ４３の外側を第一の上フラップ４０で覆うようにする。第一の上フラップ４０が第一の下フラップ４３の外側に位置して覆うことにより、外側切欠部６０も第一の上フラップ４０によって閉じられることになる。このように一方の開口部は左右一対の第一のサイドフラップ４５，４６と第一の下フラップ４３と第一の上フラップ４０によって三重に閉じられることになり、この短辺側の側面１４は三重構造となるが、全体ではなく一部のみが三重構造となり、外側切欠部６０の箇所、即ち側部取り出し口部２２の部分は第一の上フラップ４０のみで構成された一層構造となる。
【００２８】
上述のように、取り出し口２０は包装箱１の上面１０から短辺側の側面１４にかけて形成され、切離片２４もそれに対応して包装箱１の上面１０から短辺側の側面１４にかけて形成されていていて、切離片２４は、上面片３０（包装箱１の上面１０）に形成された上面切離片部２５と、第一の上フラップ４０（包装箱１の側面１４）に形成された側面切離片部２６とから構成される。従って、側部取り出し口部２２は、開封時に切離される側面切離片部２６と、その内側に位置する外側切欠部６０と、その内側に位置する内側切欠部７２とから構成されている。図３のように、側面切離片部２６は外側切欠部６０よりも小さい。従って、側部取り出し口部２２の開口面積は側面切離片部２６の面積となる。
【００２９】
＜手袋２＞
このような包装箱１に収容される手袋２は薄手のものであって、例えば数十枚から百数十枚という多数枚上下に積層された状態で包装箱１に一括的に収容される。図１及び図２のように、手袋２は、その向きが全て揃っている。手挿入口３が包装箱１の長辺方向の一端側を向き、即ち、包装箱１の上面１０の一方の短辺１０ａ側を向いていて、指先４が包装箱１の長辺方向の他端側（包装箱１の上面１０の他方の短辺１０ｂ側）を向いている。尚、手袋２は左右兼用とすることが好ましく、従って、本実施形態では全ての手袋２の親指５が左側となるように揃えられている。手袋２は、例えばポリエチレンシート等からなるプラスチック製のものやニトリルゴム等のゴム製のものである。尚、手袋２の手挿入口３の開口縁部には縁取り部を設ける等して他の部分よりも開口縁部の強度を高めた構成とすることが好ましい。
【００３０】
＜開封＞
以上のように構成された手袋包装体を開封する手順について説明する。図１１（ａ）に開封前の状態の手袋包装体の要部を示しているが、その状態から図１１（ｂ）のように指先で左右一対の開封用切り込み線２７の間の部分、即ち、台形状の開封開始片２８を押して、左右一対の開封用切り込み線２７の間に位置するミシン目２３の部分を切離して、開封開始片２８を包装箱１の内側に折り曲げるように押し込む。そして、切離片２４を包装箱１の上面１０側から短辺側の側面１４に向けて切離していく。まず、図１２（ａ）のように上面切離片部２５を立ち上げるように切離し、引き続いて側面切離片部２６を下方に向けて切離していって、図１２（ｂ）のように切離片２４の全体を包装箱１から分離除去する。
【００３１】
このように切離片２４を切離すると、図１３にも示しているように、包装箱１には手袋２を取り出すための取り出し口２０が開口する。第一の下フラップ４３や左右一対の第一のサイドフラップ４５，４６には外側切欠部６０や内側切欠部７２が形成されているので、側面切離片部２６を切離するだけで側部取り出し口部２２を開口させることができる。
【００３２】
上述したように、取り出し口２０は、包装箱１の上面１０に形成された上部取り出し口部２１と包装箱１の短辺側の側面１４に形成された側部取り出し口部２２とからなり、その上部取り出し口部２１と側部取り出し口部２２とが上下一体となって一つの取り出し口２０を構成している。従って、取り出し口２０は上方と側方の二方向に開口している。そして、その取り出し口２０から手袋２の手挿入口３が表出する。従って、図１４のように手袋２の手挿入口３側の部分を容易に把持して取り出し口２０から上方に容易に引き上げることができ、そのまま上方あるいは斜め上方に向けて手袋２を包装箱１から引き出すことができる。このようにして最上層の手袋２から順次容易に取り出すことができる。
【００３３】
以上のように、本実施形態における手袋包装体にあっては、短辺側の側面１４，１５が三重構造となっているので、開口する部分であっても大きな強度を確保できる。そのため、例えば５０枚や１００枚といった多数枚の手袋を収容してもその重量に耐え得る強度を確保することができる。そして、取り出し口２０から手袋２を取り出すに際には、手袋２の手挿入口３側の部分を摘んで取り出すことができる。従って、手袋２を取り出す際に手袋２の指の部分に手が触れることがなくて衛生的であり、特に、食品を取り扱う用途に適していて、衛生的に食品の盛り付け作業等を行うことができる。
【００３４】
また、手袋１を手挿入口３側に向けて引き出すことができるので、反対側である指先４側から引き出す場合に比して手袋２が包装箱１の内部で引っかかりにくく、スムーズに引き出すことができる。尚、開口した取り出し口２０の開口縁部にはミシン目２３を破断した痕跡が残っているが、手袋２を手挿入口３側から取り出すため、ミシン目２３の痕跡に手袋２が引っかかりにくく、取り出し時に生じやすい手袋２の傷付きや破損を防止することができる。
【００３５】
特に、取り出し口２０が包装箱１の上面１０から短辺側の側面１４にかけて形成されているので、積層された手袋２の手挿入口３が側部取り出し口部２２から側方に部分的に露出する。そのため、露出した手挿入口３の部分が摘みやすく手袋２をより一層容易に取り出すことができる。更に、上部取り出し口部２１の長辺方向の寸法が側部取り出し口部２２の上下方向の寸法に比して長く、しかも、上部取り出し口部２１が逆テーパ形状となっているので、図１４のように手袋２の手挿入口３側の部分を上方に大きく引き上げるようにして取り出すことができる。
【００３６】
尚、切離片２４の一端が切離されずに残ってその一端を支点として上下に回動するように構成されていてもよく、取り出し口２０を切離片２４で開閉できる。
また、開封開始片２８がミシン目２３の内側即ち切離片２４に形成されていてもよい。
【００３７】
また、第一の下フラップ４３や左右一対の第一のサイドフラップ４５，４６に外側切欠部６０や内側切欠部７２を予め形成しない構成としてもよく、第一の下フラップ４３や左右一対の第一のサイドフラップ４５，４６にもミシン目を設けておいて、切離片２４を切離した後に、更に、第一の下フラップ４３や左右一対の第一のサイドフラップ４５，４６のミシン目を切離して開封時に外側切欠部６０や内側切欠部７２を形成するようにしてもよい。
【符号の説明】
【００３８】
１    包装箱
２    手袋
３    手挿入口
４    指先
５    親指
１０    上面
１０ａ  一方の短辺
１０ｂ  他方の短辺
１０ｃ  長辺
１２    長辺側の側面
１３    長辺側の側面
１４    短辺側の側面
１５    短辺側の側面
２０    取り出し口
２１    上部取り出し口部
２１ａ  内端
２２    側部取り出し口部
２３    ミシン目
２４    切離片
２５    上面切離片部
２６    側面切離片部
２７    開封用切り込み線
２８    開封開始片
３０    上面片
３１    底面片
３２    側面片
３３    側面片
３６    糊代片
４０    第一の上フラップ
４１    第二の上フラップ
４３    第一の下フラップ
４４    第二の下フラップ
４５    第一のサイドフラップ
４６    第一のサイドフラップ
４７    第二のサイドフラップ
４８    第二のサイドフラップ
５０    差し込み片
５１    差し込み片
５２    差し込み用切り込み線
５３    差し込み用切り込み線
６０    外側切欠部
６１    差し込み片
６２    差し込み片
７０    係止用切欠部
７１    係止用切欠部
７２    内側切欠部
Ｓ    隙間
【図１】
0003202591.tif 000003
【図２】
0003202591.tif 000004
【図３】
0003202591.tif 000005
【図４】
0003202591.tif 000006
【図５】
0003202591.tif 000007
【図６】
0003202591.tif 000008
【図７】
0003202591.tif 000009
【図８】
0003202591.tif 000010
【図９】
0003202591.tif 000011
【図１０】
0003202591.tif 000012
【図１１】
0003202591.tif 000013
【図１２】
0003202591.tif 000014
【図１３】
0003202591.tif 000015
【図１４】
0003202591.tif 000016